(57)【要約】【課題】小タンク内の水位変動が不安定になることを抑制することができる洗浄水タンク装置を提供すること。【解決手段】本発明の洗浄水タンク装置は、排水口を有する洗浄水タンクと、前記排水口を開閉する排水弁を有する排水弁装置と、前記洗浄水タンク内に設けられた小タンクと、前記小タンク内に設けられ当該小タンク内の洗浄水の水位の変動に伴って当該小タンクに対して上下動するフロートと、前記小タンクに対する前記フロートの上下動に伴って洗浄水の洗浄水タンク内への給水及び止水を切り替える給水弁装置と、を備える。前記洗浄水タンクは、前記排水口が設けられた第１底面部と、前記第１底面部よりも低い位置にあって平面視における前記小タンクの投影面を包含する第２底面部と、を有している。洗浄水タンク内へ吐水される洗浄水の当該洗浄水タンク内への吐水口が、前記第２底面部の上方に設けられている。【選択図】図２
2019015024.tif 000002
【特許請求の範囲】
【請求項１】
便器に洗浄水を供給する洗浄水タンク装置であって、
内部に貯水した洗浄水を排出させる排水口を有する洗浄水タンクと、
前記排水口を開閉する排水弁を有する排水弁装置と、
前記洗浄水タンク内に設けられた小タンクと、
前記小タンク内に設けられ、当該小タンク内の洗浄水の水位の変動に伴って当該小タンクに対して上下動するフロートと、
前記小タンクに対する前記フロートの上下動に伴って、給水源から供給される洗浄水の前記洗浄水タンク内への給水及び止水を切り替える給水弁装置と、
を備え、
前記洗浄水タンクは、前記排水口が設けられた第１底面部と、前記第１底面部よりも低い位置にあって平面視における前記小タンクの投影面を包含する第２底面部と、を有しており、
前記給水源から前記給水弁装置を介して前記洗浄水タンク内へ給水される洗浄水の当該洗浄水タンク内への給水口が、前記第２底面部の上方に設けられている
ことを特徴とする洗浄水タンク装置。
【請求項２】
前記給水口は、前記第２底面部の上方において、前記第１底面部よりも低い位置において、放射状に複数設けられている
ことを特徴とする請求項１に記載の洗浄水タンク装置。
【請求項３】
前記第２底面部の前記第１底面部に対する深さと比較して、前記第２底面部の左右方向の幅寸法が大きい
ことを特徴とする請求項１または２に記載の洗浄水タンク装置。
【請求項４】
前記第１底面部と前記第２底面部とが隣接する領域を除いて、前記第１底面部及び前記第２底面部の周縁から立ち上がる壁面が、前記洗浄水タンクの連続する内側面を形成している
ことを特徴とする請求項１乃至３のいずれかに記載の洗浄水タンク装置。
【請求項５】
前記給水源と前記給水弁装置とを接続する給水管
を更に備え、
前記給水管は、前記第２底面部を貫通しており、
前記給水管と前記給水源とは、前記洗浄水タンクより低い位置で接続される
ことを特徴とする請求項１乃至４のいずれかに記載の洗浄水タンク装置。
【請求項６】
前記洗浄水タンクの第２底面部側の側端壁の下端が、前記給水管が貫通する前記第２底面部の部分の裏側よりも低く、且つ、前記給水管と前記給水源との接続部よりも高い位置にある
ことを特徴とする請求項５に記載の洗浄水タンク装置。
【請求項７】
請求項１乃至６のいずれかに記載の洗浄水タンク装置と、
便器と、
を備えたことを特徴とする水洗大便器。
【発明の詳細な説明】
【技術分野】
【０００１】
本発明は、洗浄水タンク装置に係り、特に、便器に洗浄水を供給する洗浄水タンク装置に関する。
【背景技術】
【０００２】
従来から、便器の洗浄水タンクに洗浄水を供給する給水弁装置として、桶状に形成され底面に開口が形成された小タンクと、当該小タンク内に設けられたフロートと、が付属的に設けられて、当該フロートの上下動に連動して水平方向に動く給水弁を備えた構造が知られている。当該給水弁は、一般には、ダイヤフラム式の弁である。
【０００３】
図６は、特許文献１の図４に対応している（符号は変更されている）。図６に示す給水弁装置は、フィルタ１５０が設けられた給水管１３４から供給される洗浄水の洗浄水タンク内への給水及び止水を切り替える給水弁１３６を備え、給水管１３４に沿って設けられた小タンク１３８と、小タンク１３８内に設けられて当該小タンク１３８内の洗浄水の水位の変動に伴って当該小タンク１３８に対して上下方向に摺動可能に取り付けられたフロート１４２と、が付属的に設けられている。
【０００４】
そして、給水管１３４に支持されたバルブハウジングの支点回りに、揺動部材１４４（アーム）が回動可能に設けられていて、当該揺動部材１４４の回動に応じてパイロット孔１３６ｇが開閉することによって、給水弁１３６の給水及び止水が切り替えられるようになっている。
【０００５】
揺動部材１４４の回動は、フロート１４２の上下動によって生じるようになっている。すなわち、揺動部材１４４は、フロート１４２に接続されている。揺動部材１４４とフロート１４２とは、フロート位置調整部材１４８を介して接続されており、揺動部材１４４とフロート１４２との互いに対する相対位置が調整できるようになっている。
【０００６】
また、給水管１３４は、貯水タンクの底面１１８ａに取り付けられており、外部の水道等の給水源（図示せず）に接続された下側給水管１３４ａと、下側給水管１３４ａの上方に接続された上側給水管１３４ｂと、を有している。下側給水管１３４ａ及び上側給水管１３４ｂの中央に、上下方向に延びる１次側給水路１３４ｃが形成されており、給水管１３４の内部であって１次側給水路１３４ｃの外側に、２次側給水路１３４ｄが形成されている。
【０００７】
そして、下側給水管１３４ａの２次側給水路１３４ｄの下端部に、流出口１３４ｅが放射状に形成されており、２次側給水路１３４ｄ内の洗浄水は、放射状の流出口１３４ｅから貯水タンク内に供給されるようになっている。
【０００８】
その他、図１に示すように、下側給水管１３４ａの上端部には、その内部に上側給水管１３４ｂの下方部分が挿入されており、上側給水管１３４ｂの下方部分の１次側給水路１３４ｃ内には、下側給水管１３４ａから上側給水管１３４ｂに流入する洗浄水中に含まれるゴミを除去するためのフィルター部材１５０が取り付けられている。
【先行技術文献】
【特許文献】
【０００９】
【特許文献１】特開２０１３−２０４３８９号公報
【発明の概要】
【発明が解決しようとする課題】
【００１０】
本件発明者は、給水源から洗浄水タンク内へ洗浄水が給水される際に、洗浄水タンク内の洗浄水の水面に波立ちが生じることがあり、この影響によって小タンク内の水位変動が不安定になり得ることを知見した。
【００１１】
小タンク内の水位変動が不安定になると、フロートの上下動の挙動が不安定となり、結果的に洗浄水タンク内に給水される洗浄水の量にバラツキが生じ得る。
【００１２】
特に、近年では、意匠性向上や省スペース等を目的として、洗浄水タンクの高さを低くした「ローシルエット」タイプの洗浄水タンクが普及しつつある。このように高さが低い洗浄水タンクでは、貯水される洗浄水の水深が浅くなっているため、洗浄水タンク内の洗浄水の水面の波立ちが小タンク内の水位変動の不安定化を引き起こす可能性が、従来よりも高くなっている。
【００１３】
本発明は、以上の知見に基づいて創案されたものである。本発明の目的は、小タンク内の水位変動が不安定になることを抑制することができる洗浄水タンク装置を提供することである。
【課題を解決するための手段】
【００１４】
本発明は、便器に洗浄水を供給する洗浄水タンク装置であって、内部に貯水した洗浄水を排出させる排水口を有する洗浄水タンクと、前記排水口を開閉する排水弁を有する排水弁装置と、前記洗浄水タンク内に設けられた小タンクと、前記小タンク内に設けられ、当該小タンク内の洗浄水の水位の変動に伴って当該小タンクに対して上下動するフロートと、前記小タンクに対する前記フロートの上下動に伴って、給水源から供給される洗浄水の前記洗浄水タンク内への給水及び止水を切り替える給水弁装置と、を備え、前記洗浄水タンクは、前記排水口が設けられた第１底面部と、前記第１底面部よりも低い位置にあって平面視における前記小タンクの投影面を包含する第２底面部と、を有しており、前記給水源から前記給水弁装置を介して前記洗浄水タンク内へ給水される洗浄水の当該洗浄水タンク内への給水口が、前記第２底面部の上方に設けられていることを特徴とする洗浄水タンク装置である。
【００１５】
本件発明者は、小タンクの投影面を包含する第２底面部を、排水口が設けられた第１底面部よりも低くし、且つ、当該第２底面部の上方に洗浄水タンク内への給水口を設けることによって、洗浄水タンク内の洗浄水の水面の波立ちが小タンク内の水位変動の不安定化を引き起こす程度を有意に抑制できることを知見した。これは、第２底面部の方が第１底面部よりも深いことにより、第２底面部の上方で洗浄水タンク内へ給水される洗浄水による水面の波立ち自体が抑制されることに加えて、小タンクが第２底面部の更に上方に位置していることにより、小タンクが水面の波立ちの影響を受けにくいためであると考えられる。
【００１６】
また、本発明によれば、第２底面部の上方で洗浄水タンク内へ給水される洗浄水が、より深い第２底面部の領域の洗浄水を効果的に循環させるという効果もある。更に、第２底面部の上方で洗浄水が洗浄水タンク内へ給水されるため、当該洗浄水が第１底面部に設けられた排水弁の動作に影響を及ぼすことも抑制できる。
【００１７】
前記給水口は、前記第２底面部の上方において、前記第１底面部よりも低い位置において、放射状に複数設けられていることが好ましい。この場合、水面の波立ちを抑制する効果を更に高めることができる。また、第２底面部の領域の洗浄水を循環させる効果も高めることができる。
【００１８】
また、前記第２底面部の前記第１底面部に対する深さと比較して、前記第２底面部の左右方向の幅寸法が大きいことが好ましい。このように第２底面部を広く設けることにより、水面の波立ちを抑制する効果を高めることができる。また、第２底面部の前後方向の寸法は、洗浄水タンクの底面の前後方向の寸法と同じであることが好ましい。
【００１９】
また、前記第１底面部と前記第２底面部とが隣接する領域を除いて、前記第１底面部及び前記第２底面部の周縁から立ち上がる壁面が、前記洗浄水タンクの連続する内側面を形成していることが好ましい。このような態様が採用される場合、特に第２底面部の周縁から溢れ出る際の洗浄水が乱流を引き起こす程度を抑制することができ、水面の波立ちを抑制する効果を高めることができる。
【００２０】
また、前記給水源と前記給水弁装置とを接続する給水管を更に備え、前記給水管は、前記第２底面部を貫通しており、前記給水管と前記給水源とは、前記洗浄水タンクより低い位置で接続されることが好ましい。このような態様が採用される場合、より低い第２底面部の下方で給水管と給水源とが接続されるため、その施工性が良好である。
【００２１】
この場合、更に、前記洗浄水タンクの第２底面部側の側端壁の下端が、前記給水管が貫通する前記第２底面部の部分の裏側よりも低く、且つ、前記給水管と前記給水源との接続部よりも高い位置にあることが好ましい。この場合、下方に出っ張る第２底面部の領域が洗浄水タンクの側端壁によって隠されるため、意匠性が向上する一方、前記の施工性は良好に維持される。
【００２２】
また、本発明は、以上の特徴のいずれかを有する洗浄水タンク装置と、便器と、を備えたことを特徴とする水洗大便器である。
【発明の効果】
【００２３】
本発明によれば、小タンクの投影面を包含する第２底面部を排水口が設けられた第１底面部よりも低くし、且つ、当該第２底面部の上方に洗浄水タンク内への給水口を設けることによって、洗浄水タンク内の洗浄水の水面の波立ちが小タンク内の水位変動の不安定化を引き起こす程度を有意に抑制できる。
【００２４】
また、本発明によれば、第２底面部の上方で洗浄水タンク内へ給水される洗浄水が、より深い第２底面部の領域の洗浄水を効果的に循環させる。更に、第２底面部の上方で洗浄水が洗浄水タンク内へ給水されるため、当該洗浄水が第１底面部に設けられた排水弁の動作に影響を及ぼすことも抑制できる。
【図面の簡単な説明】
【００２５】
【図１】本発明の一実施形態による洗浄水タンク装置を備えた水洗大便器において、便座及び便蓋を取り外した状態を示す斜視図である。
【図２】本発明の一実施形態による洗浄水タンク装置の内部構造を示す正面断面図である。
【図３】図２の洗浄水タンク装置の平面断面図である。
【図４】本発明の他の実施形態による洗浄水タンク装置の内部構造を示す正面断面図である。
【図５】図３の構成に対応する洗浄水タンクの一例の斜視断面図である。
【図６】従来の給水弁装置を示す正面断面図である。
【発明を実施するための形態】
【００２６】
次に、添付図面を参照して、本発明の一実施形態による洗浄水タンク装置を説明する。図１は、本発明の一実施形態による洗浄水タンク装置を備えた水洗大便器において、便座及び便蓋を取り外した状態を示す斜視図である。
【００２７】
（基本的な構成）
図１に示すように、符号１は、１００％リム洗浄による洗い落とし水洗大便器である。当該水洗大便器１は、陶器製の便器本体２を備えており、当該便器本体２には、ボウル部４が形成されている。一般に、図１の左下側が前方と呼ばれ、右上側が後方と呼ばれている。また、図１の左上側が右方と呼ばれ、右下側が左方と呼ばれている。
【００２８】
便器本体２のボウル部４の上縁部には、内側にオーバーハングしたリム８と、便器本体２の後方側の内部に形成される導水路（図示せず）から供給される洗浄水を吐水するリム吐水口１０と、が形成されている。リム吐水口１０から吐水される洗浄水は、旋回しながら下降してボウル部４を洗浄するようになっている。ボウル部４の下方には、溜水部１２が形成されている。この溜水部１２の下方に、排水管路の入口が開口している。
【００２９】
そして、便器本体２の後方側の上面に、便器本体２に供給するための洗浄水を貯水する洗浄水タンク装置１６が設けられている。
【００３０】
もっとも、本発明は、サイホン作用を利用してボウル部内の汚物を吸い込んで排水トラップ管路から一気に外部に排出する、いわゆる、サイホン式の水洗大便器にも適用可能である。
【００３１】
図２は、本発明の一実施形態による洗浄水タンク装置１６の内部構造を示す正面断面図であり、図３は、その平面断面図である。
【００３２】
図１乃至図３に示すように、洗浄水タンク装置１６は、水洗大便器１を洗浄する洗浄水を貯水する洗浄水タンクである貯水タンク１８を備えている。貯水タンク１８の第１底面部１８ａには、便器本体２の導水路（図示せず）と連通する排水口２０が形成されており、貯水タンク１８内の洗浄水が便器本体２の導水路（図示せず）へと供給されるようになっている。貯水タンク１８は、便器の種類に応じて、貯水する洗浄水の量が異なっている。
【００３３】
また、図２及び図３に示すように、洗浄水タンク装置１６の貯水タンク１８内には、貯水タンク１８内に洗浄水を供給する給水弁装置２２と、排水口２０を開放して貯水タンク１８に貯えられていた洗浄水を便器本体２の導水路（図示せず）に流出させる排水弁装置２４と、が設けられている。
【００３４】
また、排水弁装置２４の側方に、上下方向に延びるオーバーフロー管２４ａが設けられている。オーバーフロー管２４ａ内の下方部分は、排水口２０と連通しており、貯水タンク１８内の水位が満水水位を超えて上昇してオーバーフロー管２４ａの上端開口部に達するときには、オーバーフロー管２４ａの上端開口部から洗浄水が流入して、排水口２０を介して便器本体２の導水路（図示せず）へ排出されるようになっている。
【００３５】
排水弁装置２４の構成は、従来の排水弁装置の構成と同様である。貯水タンク１８の外部に取り付けられた操作レバー（図示せず）に対して、大洗浄または小洗浄（所定の洗浄モード）を実行させる所定の方向の回動操作を行うことにより、当該操作レバーに連結された操作ワイヤ（図示せず）が連動して、排水弁装置２４の弁体（図示せず）が引き上げられる。これにより、排水口２０が所定時間だけ開放され、貯水タンク１８内の洗浄水が便器本体２の導水路（図示せず）に一定量だけ排出されるようになっている。
【００３６】
本実施形態の洗浄水タンク装置１６における給水弁装置２２の詳細は、図６を用いて説明した従来の給水弁装置と略同様である。具体的には、外部の給水源（図示せず）に接続され且つ貯水タンク１８の第２底面部１８ｂから上方に延びる給水管３４に対して、当該給水管３４の上方且つ側方に設けられ且つ当該給水管３４から給水される洗浄水の貯水タンク１８内への給水と止水とを切り替えるダイヤフラム式の給水バルブを有している。
【００３７】
また、給水弁装置２２には、給水管３４に沿って設けられた小タンク３８と、小タンク３８内に設けられて当該小タンク３８内の洗浄水の水位の変動に伴って当該小タンク３８に対して上下方向に摺動可能に取り付けられたフロート４２と、が付属的に設けられている。小タンク３８の底面には、開口が形成されており（小タンク３８の側面に形成されていてもよい）、逆止弁が設けられている。
【００３８】
そして、給水管３４に支持されたバルブハウジングの支点回りに、揺動部材（アーム）が回動可能に設けられていて、当該揺動部材の回動（揺動）に応じてパイロット孔が開閉することによって、給水バルブの給水及び止水が切り替えられるようになっている。
【００３９】
揺動部材の回動は、フロート４２の上下動によって生じるようになっている。すなわち、揺動部材は、フロート４２に接続されている。
【００４０】
また、給水管３４は、貯水タンク１８の第２底面部１８ｂを貫通しており、外部の水道等の給水源（図示せず）に接続される下側給水管３４ａと、下側給水管３４ａの上方に接続された上側給水管と、を有している。下側給水管３４ａ及び上側給水管の中央に、上下方向に延びる１次側給水路が形成されており、給水管３４の内部であって１次側給水路の外側に、２次側給水路が形成されている。
【００４１】
そして、下側給水管３４ａの２次側給水路の下端部に、放射状に流出口３４ｅが形成されており、２次側給水路内の洗浄水は、給水口３４ｅから貯水タンク１８内に供給されるようになっている。
【００４２】
具体的には、小タンク３８内の水位がほぼ零となり、フロート４２が最低位置まで下降したことに伴って揺動部材が揺動すると、給水バルブが開放された状態となり、流出口３４ｅから貯水タンク１８内に洗浄水が給水される。一方、フロート４２が最高位置まで上昇したことに伴って揺動部材４４が揺動すると、給水バルブが閉鎖された状態となり、流出口３４ｅから貯水タンク１８内への洗浄水の給水が停止される。
【００４３】
（本実施形態の特徴的な構成）
図２及び図３に示すように、本実施形態の洗浄水タンク１８は、排水口２０が設けられた第１底面部１８ａと、当該第１底面部１８ｂよりも低い位置にある第２底面部１８ｂと、を備えている。
【００４４】
第１底面部１８ａは、洗浄水タンク１８の左端から排水弁装置２４の右端まで広がっており、その幅寸法は、約２５ｃｍである。第２底面部１８ｂは、排水弁装置２４の右端から洗浄水タンク１８の右端まで広がっており、その幅寸法は、約１５ｃｍである。第１底面部１８ａも第２底面部１８ｂも、前後方向の寸法は、洗浄水タンク１８の前後方向の寸法に合致しており（図４参照）、約１５ｃｍである。また、第１底面部１８ａと第２底面部１８ｂとの深さの差は、約４ｃｍであり、第２底面部１８ｂの左右方向の幅寸法の方が遙かに大きい。
【００４５】
一方、給水管３４は、第２底面部１８ｂを貫通しており、小タンク３８は、第２底面部１８ｂの上方に位置しており、第２底面部１８ｂは平面視における小タンク３８の投影面を包含している。小タンク３８の投影面のサイズは、概ね、縦８ｃｍ×横６ｃｍ程度である。
【００４６】
また、洗浄水の洗浄水タンク１８内への給水口３４ｅは、第２底面部１８ｂの上方であって、第１底面部１８ａよりも低い位置において、放射状に複数設けられている。
【００４７】
また、第１底面部１８ａと第２底面部１８ｂとが隣接する領域は、段差部１８ｃとなっており、第１底面部１８ａ及び第２底面部１８ｂのその他の周縁から立ち上がる壁面が、洗浄水タンク１８の連続する滑らかな内側面１８ｓを形成している。
【００４８】
また、洗浄水タンク１８の第２底面部１８ｂ側の側端壁の下端１８ｐが、下方に出っ張る第２底面部１８ｂの裏側であって給水管３４が貫通する部分よりも更に低い位置にまで出っ張っている。この出っ張り領域は、図２に示すように、洗浄水タンク１８の第２底面部１８ｂ側の側壁の厚みを超えて内方に広がっていてもよい。但し、当該出っ張り領域の下端１８ｐの位置は、給水管３４と給水源との接続部よりは高い。
【００４９】
（基本的な作用）
次に、以上のような本実施形態による洗浄水タンク装置１６の基本的な作用について説明する。本実施形態の洗浄水タンク装置は、大洗浄モードと小洗浄モードの２種類の洗浄モードを実施可能であるが、基本的な作用は共通しているため、大洗浄モードについてのみ説明する。
【００５０】
排水弁装置２４の排水開始前の状態では、排水弁装置２４の弁体（図示せず）が排水口２０を閉止している。例えば、貯水タンク１８内の初期水位は満水水位であり、フロート４２は水没している。
【００５１】
使用者が操作レバーを操作すると、排水弁装置２４が貯水タンク１８の排水口２０を開放する。これによって、水洗大便器１の便器本体２への大洗浄モードの排水が開始され、貯水タンク１８内の水位が低下し始める。
【００５２】
貯水タンク１８内の水位が逆止弁による封止作用を維持できる水圧を維持している間は、小タンク３８内の水位は維持され、すなわち、フロート４２は上昇した状態に維持される。従って、給水弁装置２２による給水は行われない。
【００５３】
貯水タンク１８内の水位が逆止弁による封止作用を維持できないレベルまで低下すると、当該逆止弁が下降し、小タンク３８の底面に形成された開口が開放される。これにより、小タンク３８内の水位が低下し始める。
【００５４】
そして、小タンク３８内の水位が給水開始に低下すると、フロート４２に作用していた浮力がフロート４２の自重を下回って、フロート４２が下降する。
【００５５】
すると、揺動部材が支点を中心に揺動し、給水バルブのパイロット孔が開放され、弁体が移動して、給水バルブが給水状態となる。
【００５６】
貯水タンク１８内の水位が死水水位まで低下すると、排水弁装置２４が貯水タンク１８の排水口２０を閉止する（小タンク３８内の水位は零になっている）。この時、給水バルブ３６が開放されて給水弁装置２２による貯水タンク１８への給水が継続して行われているため、貯水タンク１８内の水位は直ちに死水水位から上昇する。
【００５７】
貯水タンク１８内の水位が所定の水位まで上昇すると、逆止弁が上昇して、小タンク３８の底面の開口を閉止する（未だ小タンク３８内の水位は零である）。
【００５８】
貯水タンク１８内の水位が更に上昇し、小タンク３８の上縁を乗り越えて小タンク３８内に流入し始めると、小タンク３８内の水位は急激に上昇する。これにより、フロート４２は迅速に上昇し、給水バルブ３６は速やかに閉弁される（止水する）。
【００５９】
（本実施形態による特徴的な作用）
本実施形態では、小タンク３８の投影面を包含する第２底面部１８ｂを、排水口２０が設けられた第１底面部１８ａよりも低くし、且つ、当該第２底面部１８ｂの上方に洗浄水タンク１８内への給水口３４ｅを設けている。これによって、洗浄水タンク１８内の洗浄水の水面の波立ちが小タンク３８内の水位変動の不安定化を引き起こす程度を、有意に抑制できた。これは、第２底面部１８ｂの方が第１底面部１８ａよりも深いために洗浄水タンク１８内へ給水される洗浄水による水面の波立ち自体が抑制されることに加えて、小タンク３８が第２底面部１８ｂの更に上方に位置していることにより、小タンク３８が水面の波立ちの影響を受けにくいためであると考えられる。
【００６０】
また、本実施形態によれば、第２底面部１８ｂの上方で第１底面部１８ａよりも低い位置において洗浄水タンク内へ放射状に給水される洗浄水が、より深い第２底面部１８ｂの領域の洗浄水を効果的に循環させるという効果もある。更に、第２底面部１８ｂの上方で洗浄水が洗浄水タンク内へ給水されるため、当該洗浄水が第１底面部１８ａに設けられた排水弁２９の動作に影響を及ぼすことも抑制できる。
【００６１】
また、第２底面部１８ｂの第１底面部１８ａに対する深さと比較して、第２底面部１８ｂの左右方向の幅寸法が大きいため、すなわち、第２底面部１８ｂが十分広く設けられているため、水面の波立ちを抑制する効果が高い。
【００６２】
また、第１底面部１８ａと第２底面部１８ｂとが隣接する段差部１８ｃを除いて、第１底面部１８ａ及び第２底面部１８ｂの周縁から立ち上がる壁面が、洗浄水タンク１８の連続する滑らかな内側面１８ｓを形成しているため、水位が上がって第２底面部１８ｂの周縁から溢れ出る際の洗浄水が乱流を引き起こす程度を抑制することができ、水面の波立ちを更に抑制することができる。
【００６３】
また、給水管３４と給水源との接続が、より低い第２底面部１８ｂの裏側の更に下方において行われるようになっているため、施工性が良好である。
【００６４】
また、本実施形態では、洗浄水タンク１８の第２底面部１８ｂ側の側端壁の下端が、給水管３４が貫通する第２底面部１８ｂの部分の裏側よりも低く、且つ、給水管３４と給水源との接続部よりも高い位置にある。これによって、下方に出っ張る第２底面部１８ｂの領域が洗浄水タンク１８の側端壁によって隠されて意匠性が向上する一方、前記の施工性は良好に維持される。
【００６５】
（他の実施形態）
図４は、本発明の他の実施形態による洗浄水タンク装置の内部構造を示す正面断面図であり、図５は、図４の構成に対応する洗浄水タンクの一例の斜視断面図である。
【００６６】
図４及び図５に示す例では、第２底面部の中に、更に深くなった部分が設けられている。図４及び図５において、第２底面部の内のより深い部分を１８ｅで表し、第２底面部の内の残りの部分を１８ｄで表している。給水管３４は、第２底面部の内のより深い部分１８ｅを貫通しており、給水口３４ｅは、第２底面部の内の残りの部分１８ｄよりも低い位置に放射状に設けられている。
【００６７】
その他の構成については、図２及び図３を用いて説明した前記実施形態と同様である。対応する構成には、同一の符号を付して、その説明は省略する。
【００６８】
図４及び図５のような実施形態によっても、図２及び図３を用いて説明した前記実施形態と同様の効果を得ることができる。
【符号の説明】
【００６９】
１      水洗大便器
２      便器本体
４      ボウル部
８      リム
１０      リム吐水口
１２      溜水部
１６      洗浄水タンク装置
１８      貯水タンク
１８ａ    第１底面部
１８ｂ    第２底面部
１８ｃ    段差部
１８ｄ    第２底面部の他の例の一部
１８ｅ    第２底面部の他の例の一部
２０      排水口
２２      給水弁装置
２４      排水弁装置
２４ａ    オーバーフロー管
３４      給水管
３４ａ    下側給水管
３４ｅ    流出口
３８      小タンク
４２      フロート
【図１】
2019015024.tif 000003
【図２】
2019015024.tif 000004
【図３】
2019015024.tif 000005
【図４】
2019015024.tif 000006
【図５】
2019015024.tif 000007
【図６】
2019015024.tif 000008